(57)【要約】【課題】  主走査方向において双方向に印刷した場合の複数の色のインクによる再現色のブレと、記録媒体におけるインクの滲みと、必要なインクジェットヘッドの数とを抑えることができるインクジェットプリンターを提供する。【解決手段】  記録媒体に対するキャリッジ２１の移動方向が矢印１１で示す主走査方向における何れの方向の場合であってもインクジェットヘッド２２〜２７にインクを吐出させるインクジェットプリンター１０は、１次色のインクを吐出するインクジェットヘッド２２〜２４によるインクの吐出範囲と、２次色のインクを吐出するインクジェットヘッド２５〜２７によるインクの吐出範囲とが主走査方向に重ならずに配置されており、記録媒体における同一の位置に対して、インクジェットヘッド２２〜２４のうち１つのみにインクの吐出を許可するともに、インクジェットヘッド２５〜２７のうち１つのみにインクの吐出を許可することを特徴とする。【選択図】  図１
2018065305.tif 000002
【特許請求の範囲】
【請求項１】
記録媒体に向けてインクを吐出するための複数のインクジェットヘッドと、
前記記録媒体に対して前記複数のインクジェットヘッドを主走査方向に相対移動させる主走査方向移動手段と、
前記複数のインクジェットヘッドに対して前記記録媒体を前記主走査方向に交差する副走査方向に相対移動させる副走査方向移動手段と、
前記記録媒体に対する前記複数のインクジェットヘッドの相対移動の方向が前記主走査方向における何れの方向の場合であっても前記インクジェットヘッドにインクを吐出させるインク吐出手段と
を備え、
前記複数のインクジェットヘッドは、
互いに異なる１次色のインクを吐出する複数の１次色用インクジェットヘッドと、
互いに異なる２次色のインクを吐出する複数の２次色用インクジェットヘッドと
を備え、
前記１次色用インクジェットヘッドによるインクの吐出範囲と、前記２次色用インクジェットヘッドによるインクの吐出範囲とは、前記主走査方向に重ならずに配置されており、
前記インク吐出手段は、前記記録媒体における同一の位置に対して、前記複数の１次色用インクジェットヘッドのうち１つのみにインクの吐出を許可するともに、前記複数の２次色用インクジェットヘッドのうち１つのみにインクの吐出を許可することを特徴とするインクジェットプリンター。
【請求項２】
前記複数のインクジェットヘッドは、３次色のインクを吐出する３次色用インクジェットヘッドを備えることを特徴とする請求項１に記載のインクジェットプリンター。
【請求項３】
前記３次色用インクジェットヘッドのインクの吐出範囲と、前記１次色用インクジェットヘッドによるインクの吐出範囲、および、前記２次色用インクジェットヘッドによるインクの吐出範囲とは、前記主走査方向に重ならずに配置されていることを特徴とする請求項２に記載のインクジェットプリンター。
【発明の詳細な説明】
【技術分野】
【０００１】
本発明は、記録媒体に向けてインクを吐出することによって印刷を実行するインクジェットプリンターに関する。
【背景技術】
【０００２】
従来、記録媒体に向けてインクを吐出するための複数のインクジェットヘッドと、記録媒体に対して複数のインクジェットヘッドを主走査方向に相対移動させる主走査方向移動手段と、複数のインクジェットヘッドに対して記録媒体を主走査方向に直交する副走査方向に相対移動させる副走査方向移動手段と、記録媒体に対する複数のインクジェットヘッドの相対移動の方向が主走査方向の場合にインクジェットヘッドにインクを吐出させるインク吐出手段とを備えるインクジェットプリンターが知られている（例えば、特許文献１参照。）。
【０００３】
特許文献１に記載されたインクジェットプリンターは、図４（ａ）に示すように、記録媒体（図示していない。）に対して矢印９０１で示す主走査方向および矢印９０２で示す副走査方向に相対移動させられるキャリッジ９１１を備えている。また、特許文献１に記載されたインクジェットプリンターは、副走査方向に並んだノズル列９１２ａを備えているイエロー用のインクジェットヘッド９１２と、副走査方向に並んだノズル列９１３ａを備えているマゼンタ用のインクジェットヘッド９１３と、副走査方向に並んだノズル列９１４ａを備えているシアン用のインクジェットヘッド９１４と、副走査方向に並んだノズル列９１５ａを備えているブラック用のインクジェットヘッド９１５とをキャリッジ９１１上に備えている。すなわち、特許文献１に記載されたインクジェットプリンターは、イエロー、マゼンタ、シアンおよびブラックの４つの色で印刷を実行する４色分版方式が採用されている。インクジェットヘッド９１２、９１３、９１４、９１５は、主走査方向のうち矢印９０１ａで示す方向に、この順番で並んでいる。
【０００４】
図４（ａ）に示すインクジェットプリンターは、記録媒体における同一の位置に対して、インクジェットヘッド９１２〜９１４のうち複数のインクジェットヘッドによってインクを吐出する場合がある。例えば、図４（ａ）に示すインクジェットプリンターは、２次色としてのレッドを１次色によって再現する場合、記録媒体における同一の位置に対して、１次色としてのイエロー用のインクジェットヘッド９１２と、１次色としてのマゼンタ用のインクジェットヘッド９１３とによってインクを吐出する。また、図４（ａ）に示すインクジェットプリンターは、２次色としてのグリーンを１次色によって再現する場合、記録媒体における同一の位置に対して、１次色としてのイエロー用のインクジェットヘッド９１２と、１次色としてのシアン用のインクジェットヘッド９１４とによってインクを吐出する。また、図４（ａ）に示すインクジェットプリンターは、２次色としてのブルーを１次色によって再現する場合、記録媒体における同一の位置に対して、１次色としてのマゼンタ用のインクジェットヘッド９１３と、１次色としてのシアン用のインクジェットヘッド９１４とによってインクを吐出する。また、図４（ａ）に示すインクジェットプリンターは、３次色としてのブラックを１次色によって再現する場合、記録媒体における同一の位置に対して、１次色としてのイエロー用のインクジェットヘッド９１２と、１次色としてのマゼンタ用のインクジェットヘッド９１３と、１次色としてのシアン用のインクジェットヘッド９１４とによってインクを吐出しても良い。
【０００５】
図４（ａ）に示すインクジェットプリンターは、記録媒体における同一の位置に対してインクジェットヘッド９１２〜９１４によってインクを吐出する場合、矢印９０１ａで示す方向における記録媒体に対するキャリッジ９１１の１回の相対移動の間に、記録媒体における同一の位置に対してインクジェットヘッド９１２〜９１４によってインクを吐出する。または、図４（ａ）に示すインクジェットプリンターは、記録媒体における同一の位置に対してインクジェットヘッド９１２〜９１４によってインクを吐出する場合、矢印９０１ａで示す方向とは反対の矢印９０１ｂで示す方向における記録媒体に対するキャリッジ９１１の１回の相対移動の間に、記録媒体における同一の位置に対してインクジェットヘッド９１２〜９１４によってインクを吐出する。
【０００６】
図４（ａ）に示すインクジェットプリンターは、矢印９０１ａで示す方向における記録媒体に対するキャリッジ９１１の１回の相対移動の間に、記録媒体における同一の位置に対してインクジェットヘッド９１２〜９１４によってインクを吐出する場合、記録媒体の上にインクジェットヘッド９１４によってシアンのインクを付着させ、このシアンのインクの上にインクジェットヘッド９１３によってマゼンタのインクを付着させ、このマゼンタのインクの上にインクジェットヘッド９１２によってイエローのインクを付着させることになる。したがって、図４（ａ）に示すインクジェットプリンターは、例えば、記録媒体に対するキャリッジ９１１の矢印９０１ａで示す方向における相対移動においてインクジェットヘッド９１２および９１３によってレッドを描く場合、イエローおよびマゼンタのうち上層に存在するイエローのインクの影響による黄みを帯び易い。また、図４（ａ）に示すインクジェットプリンターは、例えば、記録媒体に対するキャリッジ９１１の矢印９０１ａで示す方向における相対移動においてインクジェットヘッド９１２および９１４によってグリーンを描く場合、イエローおよびシアンのうち上層に存在するイエローのインクの影響による黄みを帯び易い。また、図４（ａ）に示すインクジェットプリンターは、例えば、記録媒体に対するキャリッジ９１１の矢印９０１ａで示す方向における相対移動においてインクジェットヘッド９１３および９１４によってブルーを描く場合、マゼンタおよびシアンのうち上層に存在するマゼンタのインクの影響による赤みを帯び易い。また、図４（ａ）に示すインクジェットプリンターは、例えば、記録媒体に対するキャリッジ９１１の矢印９０１ａで示す方向における相対移動においてインクジェットヘッド９１２〜９１４によってブラックを描く場合、イエロー、マゼンタおよびシアンのうち上層に存在するイエローのインクの影響による黄みを帯び易い。
【０００７】
一方、図４（ａ）に示すインクジェットプリンターは、矢印９０１ｂで示す方向における記録媒体に対するキャリッジ９１１の１回の相対移動の間に、記録媒体における同一の位置に対してインクジェットヘッド９１２〜９１４によってインクを吐出する場合、記録媒体の上にインクジェットヘッド９１２によってイエローのインクを付着させ、このイエローのインクの上にインクジェットヘッド９１３によってマゼンタのインクを付着させ、このマゼンタのインクの上にインクジェットヘッド９１４によってシアンのインクを付着させることになる。したがって、図４（ａ）に示すインクジェットプリンターは、例えば、記録媒体に対するキャリッジ９１１の矢印９０１ｂで示す方向における相対移動においてインクジェットヘッド９１２および９１３によってレッドを描く場合、イエローおよびマゼンタのうち上層に存在するマゼンタのインクの影響による赤みを帯び易い。また、図４（ａ）に示すインクジェットプリンターは、例えば、記録媒体に対するキャリッジ９１１の矢印９０１ｂで示す方向における相対移動においてインクジェットヘッド９１２および９１４によってグリーンを描く場合、イエローおよびシアンのうち上層に存在するシアンのインクの影響による青みを帯び易い。また、図４（ａ）に示すインクジェットプリンターは、例えば、記録媒体に対するキャリッジ９１１の矢印９０１ｂで示す方向における相対移動においてインクジェットヘッド９１３および９１４によってブルーを描く場合、マゼンタおよびシアンのうち上層に存在するシアンのインクの影響による青みを帯び易い。また、図４（ａ）に示すインクジェットプリンターは、例えば、記録媒体に対するキャリッジ９１１の矢印９０１ｂで示す方向における相対移動においてインクジェットヘッド９１２〜９１４によってブラックを描く場合、イエロー、マゼンタおよびシアンのうち上層に存在するシアンのインクの影響による青みを帯び易い。
【０００８】
以上に説明したように、図４（ａ）に示すインクジェットプリンターにおいては、主走査方向における記録媒体に対するキャリッジ９１１の１回の相対移動の間に、記録媒体における同一の位置に対してインクジェットヘッド９１２〜９１４のうち複数のインクジェットヘッドによって複数の色のインクを吐出する場合、使用するインクの色の種類および使用量の条件がたとえ同じであっても、記録媒体に対するキャリッジ９１１の主走査方向における何れの方向への相対移動であるかによって、記録媒体における複数の色のインクによる再現色にブレが生じるという問題がある。
【０００９】
図４（ａ）に示すインクジェットプリンターにおいて、記録媒体における同一の位置に対してインクジェットヘッド９１２〜９１４のうち複数のインクジェットヘッドによって複数の色のインクを吐出する場合に、記録媒体における複数の色のインクによる再現色のブレを無くすためには、記録媒体に対するキャリッジ９１１の相対移動の方向が矢印９０１ａで示す方向と、矢印９０１ｂで示す方向とのうち何れか一方のときにのみ、インクジェットヘッド９１２〜９１４にインクを吐出させる方法が採用されることが可能である。しかしながら、この方法が採用された場合、図４（ａ）に示すインクジェットプリンターは、記録媒体に対するキャリッジ９１１の相対移動の方向が矢印９０１ａで示す方向と、矢印９０１ｂで示す方向との何れであってもインクジェットヘッド９１２〜９１４にインクを吐出させる方法が採用された場合と比較して、印刷速度が略半分に低下するという問題がある。
【００１０】
そこで、従来、４色分版方式で複数の色のインクによる記録媒体における再現色のブレを無くして高速に印刷を実行することができるインクジェットプリンターとして、インクジェットヘッド９１２〜９１５が図４（ｂ）または図４（ｃ）に示すように配置されたインクジェットプリンターが知られている。
【００１１】
図４（ｂ）に示すインクジェットプリンターは、記録媒体（図示していない。）に対して矢印９０１で示す主走査方向および矢印９０２で示す副走査方向に相対移動させられるキャリッジ９２１を備えている。また、図４（ｂ）に示すインクジェットプリンターは、１つのイエロー用のインクジェットヘッド９１２と、２つのマゼンタ用のインクジェットヘッド９１３と、２つのシアン用のインクジェットヘッド９１４と、１つのブラック用のインクジェットヘッド９１５とをキャリッジ９２１上に備えている。インクジェットヘッド９１４、９１３、９１２、９１３、９１４は、矢印９０１ａで示す方向に、この順番で並んでいる。また、インクジェットヘッド９１５は、インクの吐出範囲がインクジェットヘッド９１２〜９１４によるインクの吐出範囲とは主走査方向に重ならないように配置されている。
【００１２】
図４（ｂ）に示すインクジェットプリンターは、記録媒体における同一の位置に対してインクジェットヘッド９１２〜９１４によってインクを吐出する場合、矢印９０１ａで示す方向における記録媒体に対するキャリッジ９２１の１回の相対移動の間に、記録媒体における同一の位置に対してインクジェットヘッド９１２〜９１４によってインクを吐出する。または、図４（ｂ）に示すインクジェットプリンターは、記録媒体における同一の位置に対してインクジェットヘッド９１２〜９１４によってインクを吐出する場合、矢印９０１ｂで示す方向における記録媒体に対するキャリッジ９２１の１回の相対移動の間に、記録媒体における同一の位置に対してインクジェットヘッド９１２〜９１４によってインクを吐出する。
【００１３】
図４（ｂ）に示すインクジェットプリンターは、矢印９０１ａで示す方向における記録媒体に対するキャリッジ９２１の１回の相対移動の間に、記録媒体における同一の位置に対してインクジェットヘッド９１２〜９１４によってインクを吐出する場合、矢印９０１ａで示す方向における記録媒体に対するキャリッジ９２１の１回の相対移動の間に、記録媒体における同一の位置に対して、例えば、インクジェットヘッド９１２と、インクジェットヘッド９１２に対して矢印９０１ａで示す方向側のインクジェットヘッド９１３、９１４とによってインクを吐出するとき、記録媒体の上にインクジェットヘッド９１４によってシアンのインクを付着させ、このシアンのインクの上にインクジェットヘッド９１３によってマゼンタのインクを付着させ、このマゼンタのインクの上にインクジェットヘッド９１２によってイエローのインクを付着させることになる。一方、図４（ｂ）に示すインクジェットプリンターは、矢印９０１ａで示す方向における記録媒体に対するキャリッジ９２１の１回の相対移動の間に、記録媒体における同一の位置に対して、例えば、インクジェットヘッド９１２と、インクジェットヘッド９１２に対して矢印９０１ｂで示す方向側のインクジェットヘッド９１３、９１４とによってインクを吐出する場合、記録媒体の上にインクジェットヘッド９１２によってイエローのインクを付着させ、このイエローのインクの上にインクジェットヘッド９１３によってマゼンタのインクを付着させ、このマゼンタのインクの上にインクジェットヘッド９１４によってシアンのインクを付着させることになる。
【００１４】
また、図４（ｂ）に示すインクジェットプリンターは、矢印９０１ｂで示す方向における記録媒体に対するキャリッジ９２１の１回の相対移動の間に、記録媒体における同一の位置に対してインクジェットヘッド９１２〜９１４によってインクを吐出する場合、矢印９０１ｂで示す方向における記録媒体に対するキャリッジ９２１の１回の相対移動の間に、記録媒体における同一の位置に対して、例えば、インクジェットヘッド９１２と、インクジェットヘッド９１２に対して矢印９０１ｂで示す方向側のインクジェットヘッド９１３、９１４とによってインクを吐出するとき、記録媒体の上にインクジェットヘッド９１４によってシアンのインクを付着させ、このシアンのインクの上にインクジェットヘッド９１３によってマゼンタのインクを付着させ、このマゼンタのインクの上にインクジェットヘッド９１２によってイエローのインクを付着させることになる。一方、図４（ｂ）に示すインクジェットプリンターは、矢印９０１ｂで示す方向における記録媒体に対するキャリッジ９２１の１回の相対移動の間に、記録媒体における同一の位置に対して、例えば、インクジェットヘッド９１２と、インクジェットヘッド９１２に対して矢印９０１ａで示す方向側のインクジェットヘッド９１３、９１４とによってインクを吐出する場合、記録媒体の上にインクジェットヘッド９１２によってイエローのインクを付着させ、このイエローのインクの上にインクジェットヘッド９１３によってマゼンタのインクを付着させ、このマゼンタのインクの上にインクジェットヘッド９１４によってシアンのインクを付着させることになる。
【００１５】
したがって、図４（ｂ）に示すインクジェットプリンターにおいては、矢印９０１ａで示す方向における記録媒体に対するキャリッジ９２１の１回の相対移動の間に、記録媒体における同一の位置に対して、インクジェットヘッド９１２と、インクジェットヘッド９１２に対して矢印９０１ａで示す方向側のインクジェットヘッド９１３、９１４とのうち複数のインクジェットヘッドによって複数の色のインクを吐出するとともに、矢印９０１ｂで示す方向における記録媒体に対するキャリッジ９２１の１回の相対移動の間に、記録媒体における同一の位置に対して、インクジェットヘッド９１２と、インクジェットヘッド９１２に対して矢印９０１ｂで示す方向側のインクジェットヘッド９１３、９１４とのうち複数のインクジェットヘッドによって複数の色のインクを吐出する場合、記録媒体に対してキャリッジ９２１が主走査方向における何れの方向に相対移動するか否かに関わらず、記録媒体における複数の色のインクによる再現色のブレを無くすことができる。同様に、図４（ｂ）に示すインクジェットプリンターにおいては、矢印９０１ａで示す方向における記録媒体に対するキャリッジ９２１の１回の相対移動の間に、記録媒体における同一の位置に対して、インクジェットヘッド９１２と、インクジェットヘッド９１２に対して矢印９０１ｂで示す方向側のインクジェットヘッド９１３、９１４とのうち複数のインクジェットヘッドによって複数の色のインクを吐出するとともに、矢印９０１ｂで示す方向における記録媒体に対するキャリッジ９２１の１回の相対移動の間に、記録媒体における同一の位置に対して、インクジェットヘッド９１２と、インクジェットヘッド９１２に対して矢印９０１ａで示す方向側のインクジェットヘッド９１３、９１４とのうち複数のインクジェットヘッドによって複数の色のインクを吐出する場合、記録媒体に対してキャリッジ９２１が主走査方向における何れの方向に相対移動するか否かに関わらず、記録媒体における複数の色のインクによる再現色のブレを無くすことができる。
【００１６】
図４（ｃ）に示すインクジェットプリンターは、記録媒体（図示していない。）に対して矢印９０１で示す主走査方向および矢印９０２で示す副走査方向に相対移動させられるキャリッジ９３１を備えている。また、図４（ｃ）に示すインクジェットプリンターは、２つのイエロー用のインクジェットヘッド９１２と、２つのマゼンタ用のインクジェットヘッド９１３と、２つのシアン用のインクジェットヘッド９１４と、１つのブラック用のインクジェットヘッド９１５とをキャリッジ９３１上に備えている。インクジェットヘッド９１４、９１３、９１２、９１５、９１２、９１３、９１４は、矢印９０１ａで示す方向に、この順番で並んでいる。
【００１７】
図４（ｃ）に示すインクジェットプリンターにおいても、図４（ｂ）に示すインクジェットプリンターと同様に、記録媒体に対してキャリッジ９２１が主走査方向における何れの方向に相対移動するか否かに関わらず、記録媒体における複数の色のインクによる再現色のブレを無くすことができる。すなわち、図４（ｃ）に示すインクジェットプリンターにおいては、矢印９０１ａで示す方向における記録媒体に対するキャリッジ９３１の１回の相対移動の間に、記録媒体における同一の位置に対して、インクジェットヘッド９１５に対して矢印９０１ａで示す方向側のインクジェットヘッド９１２〜９１４のうち複数のインクジェットヘッドによって複数の色のインクを吐出するとともに、矢印９０１ｂで示す方向における記録媒体に対するキャリッジ９３１の１回の相対移動の間に、記録媒体における同一の位置に対して、インクジェットヘッド９１５に対して矢印９０１ｂで示す方向側のインクジェットヘッド９１２〜９１４のうち複数のインクジェットヘッドによって複数の色のインクを吐出する場合、記録媒体に対してキャリッジ９３１が主走査方向における何れの方向に相対移動するか否かに関わらず、記録媒体における複数の色のインクによる再現色のブレを無くすことができる。同様に、図４（ｃ）に示すインクジェットプリンターにおいては、矢印９０１ａで示す方向における記録媒体に対するキャリッジ９３１の１回の相対移動の間に、記録媒体における同一の位置に対して、インクジェットヘッド９１５に対して矢印９０１ｂで示す方向側のインクジェットヘッド９１２〜９１４のうち複数のインクジェットヘッドによって複数の色のインクを吐出するとともに、矢印９０１ｂで示す方向における記録媒体に対するキャリッジ９３１の１回の相対移動の間に、記録媒体における同一の位置に対して、インクジェットヘッド９１５に対して矢印９０１ａで示す方向側のインクジェットヘッド９１２〜９１４のうち複数のインクジェットヘッドによって複数の色のインクを吐出する場合、記録媒体に対してキャリッジ９３１が主走査方向における何れの方向に相対移動するか否かに関わらず、記録媒体における複数の色のインクによる再現色のブレを無くすことができる。
【００１８】
しかしながら、図４（ｂ）に示すインクジェットプリンターにおいては、記録媒体に対するキャリッジ９２１の主走査方向における１回の相対移動の間に、２つのインクジェットヘッド９１３のうちの１つと、２つのインクジェットヘッド９１４のうちの１つとが使用されない。同様に、図４（ｃ）に示すインクジェットプリンターにおいては、記録媒体に対するキャリッジ９３１の主走査方向における１回の相対移動の間に、２つのインクジェットヘッド９１２のうちの１つと、２つのインクジェットヘッド９１３のうちの１つと、２つのインクジェットヘッド９１４のうちの１つとが使用されない。すなわち、図４（ｂ）または図４（ｃ）に示すインクジェットプリンターは、図４（ａ）に示すインクジェットプリンターと比較して、必要なインクジェットヘッドの数が多いという問題がある。
【００１９】
従来、イエロー、マゼンタ、シアン、ブラック、レッド、グリーンおよびブルーの７つの色で印刷を実行する７色分版方式が採用されているインクジェットプリンターが知られている（例えば、特許文献２参照。）。
【００２０】
ここで、７色分版方式は、４色分版方式と比較して、インクの使用量を低減することができるので、記録媒体においてインクの滲みが発生し難い。例えば、図５（ａ）に示すように、４色分版方式においてイエロー、マゼンタ、シアンのインクの使用量がそれぞれ１００％である場合の再現色は、７色分版方式においてブラックのインクの使用量が１００％である場合の再現色と同等であるが、インクの使用量は、４色分版方式が合計３００％であるのに対して、７色分版方式が１００％である。また、図５（ｂ）に示すように、４色分版方式においてイエロー、マゼンタ、シアンのインクの使用量がそれぞれ１００％、６０％、４０％である場合の再現色は、７色分版方式においてイエロー、レッド、ブラックのインクの使用量がそれぞれ４０％、２０％、４０％である場合の再現色と同等であるが、インクの使用量は、４色分版方式が合計２００％であるのに対して、７色分版方式が合計１００％である。また、図５（ｃ）に示すように、４色分版方式においてイエロー、マゼンタ、シアンのインクの使用量がそれぞれ４０％、２０％、１００％である場合の再現色は、７色分版方式においてシアン、グリーン、ブラックのインクの使用量がそれぞれ６０％、２０％、２０％である場合の再現色と同等であるが、インクの使用量は、４色分版方式が合計１６０％であるのに対して、７色分版方式が合計１００％である。また、図５（ｄ）に示すように、４色分版方式においてイエロー、マゼンタ、シアンのインクの使用量がそれぞれ４０％、８０％、６０％である場合の再現色は、７色分版方式においてマゼンタ、ブルー、ブラックのインクの使用量がそれぞれ２０％、２０％、４０％である場合の再現色と同等であるが、インクの使用量は、４色分版方式が合計１８０％であるのに対して、７色分版方式が合計８０％である。図５（ａ）〜（ｄ）に示すように、７色分版方式でのインクの使用量の合計は、４色分版方式での各インクの使用量のうち最大のものと同一の値になるので、最大でも１００％となる。
【００２１】
特許文献２に記載されたインクジェットプリンターは、図６（ａ）に示すように、記録媒体（図示していない。）に対して矢印９０１で示す主走査方向および矢印９０２で示す副走査方向に相対移動させられるキャリッジ９４１を備えている。また、特許文献２に記載されたインクジェットプリンターは、イエロー用のインクジェットヘッド９１２と、マゼンタ用のインクジェットヘッド９１３と、シアン用のインクジェットヘッド９１４と、ブラック用のインクジェットヘッド９１５と、副走査方向に並んだノズル列９４６ａを備えているレッド用のインクジェットヘッド９４６と、副走査方向に並んだノズル列９４７ａを備えているグリーン用のインクジェットヘッド９４７と、副走査方向に並んだノズル列９４８ａを備えているブルー用のインクジェットヘッド９４８とをキャリッジ９４１上に備えている。インクジェットヘッド９１２、９１３、９１４、９１５、９４６、９４７、９４８は、矢印９０１ａで示す方向に、この順番で並んでいる。
【先行技術文献】
【特許文献】
【００２２】
【特許文献１】特開２００９−２３３９１１号公報
【特許文献２】特開平１０−０４４４７３号公報
【発明の概要】
【発明が解決しようとする課題】
【００２３】
しかしながら、図６（ａ）に示すインクジェットプリンターにおいては、図４（ａ）に示すインクジェットプリンターと同様に、主走査方向における記録媒体に対するキャリッジ９４１の１回の相対移動の間に、記録媒体における同一の位置に対してインクジェットヘッド９１２〜９１５および９４６〜９４８のうち複数のインクジェットヘッドによって複数の色のインクを吐出する場合、使用するインクの色の種類および使用量の条件がたとえ同じであっても、記録媒体に対するキャリッジ９４１の主走査方向における何れの方向への相対移動であるかによって、記録媒体における複数の色のインクによる再現色にブレが生じるという問題がある。
【００２４】
７色分版方式で記録媒体における複数の色のインクによる再現色のブレを無くして高速に印刷を実行することができるインクジェットプリンターとして、図４（ｃ）に示すインクジェットプリンターと同様に、インクジェットヘッド９１２〜９１５および９４６〜９４８が図６（ｂ）に示すようにキャリッジ９５１上に配置されたインクジェットプリンターが考えられる。しかしながら、図６（ｂ）に示すインクジェットプリンターは、図４（ｃ）に示すインクジェットプリンターと同様の問題がある。すなわち、図６（ｂ）に示すインクジェットプリンターは、図６（ａ）に示すインクジェットプリンターと比較して、必要なインクジェットヘッドの数が多いという問題がある。
【００２５】
そこで、本発明は、主走査方向において双方向に印刷した場合の複数の色のインクによる再現色のブレと、記録媒体におけるインクの滲みと、必要なインクジェットヘッドの数とを抑えることができるインクジェットプリンターを提供することを目的とする。
【課題を解決するための手段】
【００２６】
本発明のインクジェットプリンターは、記録媒体に向けてインクを吐出するための複数のインクジェットヘッドと、前記記録媒体に対して前記複数のインクジェットヘッドを主走査方向に相対移動させる主走査方向移動手段と、前記複数のインクジェットヘッドに対して前記記録媒体を前記主走査方向に交差する副走査方向に相対移動させる副走査方向移動手段と、前記記録媒体に対する前記複数のインクジェットヘッドの相対移動の方向が前記主走査方向における何れの方向の場合であっても前記インクジェットヘッドにインクを吐出させるインク吐出手段とを備え、前記複数のインクジェットヘッドは、互いに異なる１次色のインクを吐出する複数の１次色用インクジェットヘッドと、互いに異なる２次色のインクを吐出する複数の２次色用インクジェットヘッドとを備え、前記１次色用インクジェットヘッドによるインクの吐出範囲と、前記２次色用インクジェットヘッドによるインクの吐出範囲とは、前記主走査方向に重ならずに配置されており、前記インク吐出手段は、前記記録媒体における同一の位置に対して、前記複数の１次色用インクジェットヘッドのうち１つのみにインクの吐出を許可するともに、前記複数の２次色用インクジェットヘッドのうち１つのみにインクの吐出を許可することを特徴とする。
【００２７】
この構成により、本発明のインクジェットプリンターは、１次色用インクジェットヘッドによるインクの吐出範囲と、２次色用インクジェットヘッドによるインクの吐出範囲とが主走査方向に重ならずに配置されているので、記録媒体における同一の位置に対して、１次色用インクジェットヘッドによって吐出される１次色のインクと、２次色用インクジェットヘッドによって吐出される２次色のインクとを付着させる場合に、記録媒体における同一の位置に対する１次色のインクと、２次色のインクとの付着の順番に、主走査方向における記録媒体に対する複数のインクジェットヘッドの相対移動の方向が影響しない。また、本発明のインクジェットプリンターは、記録媒体における同一の位置に対して、複数の１次色用インクジェットヘッドのうち１つのみにインクの吐出を許可するともに、複数の２次色用インクジェットヘッドのうち１つのみにインクの吐出を許可するので、主走査方向における記録媒体に対する複数のインクジェットヘッドの相対移動の方向に応じて記録媒体における同一の位置に対して複数の１次色のインクが異なる順番で付着することや、主走査方向における記録媒体に対する複数のインクジェットヘッドの相対移動の方向に応じて記録媒体における同一の位置に対して複数の２次色のインクが異なる順番で付着することが無い。したがって、本発明のインクジェットプリンターは、主走査方向において双方向に印刷した場合の複数の色のインクによる再現色のブレを抑えることができる。
【００２８】
また、本発明のインクジェットプリンターは、２次色のインクを吐出する２次色用インクジェットヘッドを備えているので、複数の１次色のインクによって２次色を再現する必要がなく、記録媒体において２次色を再現する場合のインクの使用量を低減することができる。したがって、本発明のインクジェットプリンターは、記録媒体におけるインクの滲みを抑えることができる。
【００２９】
また、本発明のインクジェットプリンターは、１次色用インクジェットヘッドによるインクの吐出範囲と、２次色用インクジェットヘッドによるインクの吐出範囲とが主走査方向に重ならずに配置されており、記録媒体における同一の位置に対して、複数の１次色用インクジェットヘッドのうち１つのみにインクの吐出を許可するともに、複数の２次色用インクジェットヘッドのうち１つのみにインクの吐出を許可するので、１次色のインクと、２次色のインクとに関して、色の種類毎にインクジェットヘッドを１つずつ備えていれば良い。したがって、本発明のインクジェットプリンターは、必要なインクジェットヘッドの数を抑えることができる。
【００３０】
本発明のインクジェットプリンターにおいて、前記複数のインクジェットヘッドは、３次色のインクを吐出する３次色用インクジェットヘッドを備えても良い。
【００３１】
この構成により、本発明のインクジェットプリンターは、３次色のインクを吐出する３次色用インクジェットヘッドを備えているので、複数の１次色のインクによって３次色を再現したり、１次色のインクと、２次色のインクとによって３次色を再現したりする必要がなく、記録媒体において３次色を再現する場合のインクの使用量を低減することができる。したがって、本発明のインクジェットプリンターは、記録媒体におけるインクの滲みを抑えることができる。
【００３２】
本発明のインクジェットプリンターにおいて、前記３次色用インクジェットヘッドのインクの吐出範囲と、前記１次色用インクジェットヘッドによるインクの吐出範囲、および、前記２次色用インクジェットヘッドによるインクの吐出範囲とは、前記主走査方向に重ならずに配置されていても良い。
【００３３】
この構成により、本発明のインクジェットプリンターは、１次色用インクジェットヘッドによるインクの吐出範囲と、２次色用インクジェットヘッドによるインクの吐出範囲と、３次色用インクジェットヘッドによるインクの吐出範囲とが主走査方向に重ならずに配置されているので、記録媒体における同一の位置に対して、１次色用インクジェットヘッドによって吐出される１次色のインクと、２次色用インクジェットヘッドによって吐出される２次色のインクとの少なくとも一方と、３次色用インクジェットヘッドによって吐出される３次色のインクとを付着させる場合に、記録媒体における同一の位置に対する１次色のインクと、２次色のインクとの少なくとも一方と、３次色のインクとの付着の順番に、主走査方向における記録媒体に対する複数のインクジェットヘッドの相対移動の方向が影響しない。したがって、本発明のインクジェットプリンターは、複数の色のインクによる再現色のブレを抑えることができる。
【発明の効果】
【００３４】
本発明のインクジェットプリンターは、主走査方向において双方向に印刷した場合の複数の色のインクによる再現色のブレと、記録媒体におけるインクの滲みと、必要なインクジェットヘッドの数とを抑えることができる。
【図面の簡単な説明】
【００３５】
【図１】本発明の一実施の形態に係るインクジェットプリンターのキャリッジの底面図である。
【図２】図１に示すインクジェットプリンターのブロック図である。
【図３】（ａ）特色用のインクジェットヘッドが１つ追加された状態での図１に示キャリッジの底面図である。  （ｂ）特色用のインクジェットヘッドが３つ追加された状態での図１に示キャリッジの底面図である。
【図４】（ａ）従来の４色分版方式のインクジェットプリンターのキャリッジの一例の底面図である。  （ｂ）従来の４色分版方式のインクジェットプリンターのキャリッジの一例であって、図４（ａ）に示す例とは異なる例での底面図である。  （ｃ）従来の４色分版方式のインクジェットプリンターのキャリッジの一例であって、図４（ａ）および図４（ｂ）に示す例とは異なる例での底面図である。
【図５】（ａ）特定の再現色に関して、４色分版方式と、７色分版方式との差異を示す図である。  （ｂ）図５（ａ）に示す例以外の特定の再現色に関して、４色分版方式と、７色分版方式との差異を示す図である。  （ｃ）図５（ａ）および図５（ｂ）に示す例以外の特定の再現色に関して、４色分版方式と、７色分版方式との差異を示す図である。  （ｄ）図５（ａ）〜図５（ｃ）に示す例以外の特定の再現色に関して、４色分版方式と、７色分版方式との差異を示す図である。
【図６】（ａ）従来の７色分版方式のインクジェットプリンターのキャリッジの一例の底面図である。  （ｂ）７色分版方式のインクジェットプリンターのキャリッジの一例であって、図７（ａ）に示す例とは異なる例での底面図である。
【発明を実施するための形態】
【００３６】
以下、本発明の一実施の形態について、図面を用いて説明する。
【００３７】
まず、本実施の形態に係るインクジェットプリンターの構成について説明する。
【００３８】
図１は、本実施の形態に係るインクジェットプリンター１０のキャリッジ２１の底面図である。
【００３９】
図１に示すように、インクジェットプリンター１０は、記録媒体（図示していない。）に対して矢印１１で示す主走査方向と、主走査方向に直交する矢印１２で示す副走査方向とに相対移動させられるキャリッジ２１を備えている。
【００４０】
また、インクジェットプリンター１０は、副走査方向に並んだノズル列２２ａを備えていて記録媒体に向けてイエローのインクを吐出するための１次色用インクジェットヘッドとしてのインクジェットヘッド２２と、副走査方向に並んだノズル列２３ａを備えていて記録媒体に向けてマゼンタのインクを吐出するための１次色用インクジェットヘッドとしてのインクジェットヘッド２３と、副走査方向に並んだノズル列２４ａを備えていて記録媒体に向けてシアンのインクを吐出するための１次色用インクジェットヘッドとしてのインクジェットヘッド２４と、副走査方向に並んだノズル列２５ａを備えていて記録媒体に向けてレッドのインクを吐出するための２次色用インクジェットヘッドとしてのインクジェットヘッド２５と、副走査方向に並んだノズル列２６ａを備えていて記録媒体に向けてグリーンのインクを吐出するための２次色用インクジェットヘッドとしてのインクジェットヘッド２６と、副走査方向に並んだノズル列２７ａを備えていて記録媒体に向けてブルーのインクを吐出するための２次色用インクジェットヘッドとしてのインクジェットヘッド２７と、副走査方向に並んだノズル列２８ａを備えていて記録媒体に向けてブラックのインクを吐出するための３次色用インクジェットヘッドとしてのインクジェットヘッド２８とをキャリッジ２１上に備えている。すなわち、インクジェットプリンター１０は、７色分版方式のインクジェットプリンターである。
【００４１】
インクジェットヘッド２２〜２４は、インクの吐出範囲が主走査方向に並んで配置されている。インクジェットヘッド２２、２３、２４は、主走査方向のうち矢印１１ａで示す方向に、この順番で並んでいる。インクジェットヘッド２２〜２４は、インクの吐出範囲がインクジェットヘッド２５〜２８によるインクの吐出範囲と主走査方向に重ならずに配置されている。
【００４２】
インクジェットヘッド２５〜２７は、インクの吐出範囲が主走査方向に並んで配置されている。インクジェットヘッド２５、２６、２７は、矢印１１ａで示す方向に、この順番で並んでいる。インクジェットヘッド２５〜２７は、インクの吐出範囲がインクジェットヘッド２８によるインクの吐出範囲と主走査方向に重ならずに配置されている。
【００４３】
図２は、インクジェットプリンター１０のブロック図である。
【００４４】
図２に示すように、インクジェットプリンター１０は、キャリッジ２１（図１参照。）に対して記録媒体を副走査方向に搬送する媒体搬送装置３１と、記録媒体に対してキャリッジ２１を主走査方向に移動させるキャリッジ移動装置３２と、ＬＡＮ（Ｌｏｃａｌ  Ａｒｅａ  Ｎｅｔｗｏｒｋ）などのネットワークを介さずに有線または無線で直接に、または、ネットワークを介して、外部の装置と通信を行う通信デバイスである通信部３３と、インクジェットプリンター１０全体を制御する制御部３４とを備えている。
【００４５】
制御部３４は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭに記憶されているプログラムを実行するようになっている。
【００４６】
制御部３４は、ＲＯＭに記憶されているプログラムを実行することによって、キャリッジ移動装置３２によって記録媒体に対してキャリッジ２１を主走査方向に相対移動させる主走査方向移動手段３４ａ、媒体搬送装置３１によってキャリッジ２１に対して記録媒体を副走査方向に相対移動させる副走査方向移動手段３４ｂ、および、記録媒体に対するキャリッジ２１の相対移動の方向が主走査方向における何れの方向の場合であってもインクジェットヘッド２２〜２８にインクを吐出させるインク吐出手段３４ｃとして機能する。
【００４７】
次に、インクジェットプリンター１０の動作について説明する。
【００４８】
制御部３４は、通信部３３を介して入力された印刷データに基づいてインクジェットヘッド２２〜２８、媒体搬送装置３１およびキャリッジ移動装置３２を駆動する。具体的には、インク吐出手段３４ｃは、副走査方向移動手段３４ｂによってキャリッジ２１に対する副走査方向における記録媒体の位置が変更される度に、主走査方向移動手段３４ａによって主走査方向にインクジェットヘッド２２〜２８を移動させながら、インクジェットヘッド２２〜２８によって記録媒体に向けてインク１１ａを吐出することによって、記録媒体に対して印刷データに基づいた画像をインクによって形成する。ここで、インク吐出手段３４ｃは、記録媒体における同一の位置に対して、インクジェットヘッド２２〜２４のうち１つのみにインクの吐出を許可するともに、インクジェットヘッド２５〜２７のうち１つのみにインクの吐出を許可する。すなわち、インクジェットヘッド２２〜２４は、記録媒体における同一の位置にインクを吐出することはない。同様に、インクジェットヘッド２５〜２７は、記録媒体における同一の位置にインクを吐出することはない。なお、７色分版方式においては、複数の色によって任意の色が再現される場合、１次色が複数使用されることは無いし、２次色も複数使用されることは無い。
【００４９】
以上に説明したように、インクジェットプリンター１０は、インクジェットヘッド２２〜２４によるインクの吐出範囲と、インクジェットヘッド２５〜２７によるインクの吐出範囲と、インクジェットヘッド２８によるインクの吐出範囲とが主走査方向に重ならずに配置されているので、記録媒体における同一の位置に対して、インクジェットヘッド２２〜２４によって吐出される１次色のインクと、インクジェットヘッド２５〜２７によって吐出される２次色のインクと、インクジェットヘッド２８によって吐出される３次色のインクとを付着させる場合に、記録媒体における同一の位置に対する１次色のインクと、２次色のインクと、３次色のインクとの付着の順番に、主走査方向における記録媒体に対するキャリッジ２１の相対移動の方向が影響しない。すなわち、インクジェットプリンター１０は、記録媒体における同一の位置に対して１次色のインク、２次色のインクおよび３次色のインクを付着させる場合、インクジェットヘッド２８によって３次色のインクを記録媒体に付着させて、インクジェットヘッド２５〜２７の何れかによって２次色のインクを記録媒体に付着させた後、インクジェットヘッド２２〜２４の何れかによって１次色のインクを記録媒体に付着させる。したがって、インクジェットプリンター１０は、複数の色のインクによる再現色のブレを抑えることができる。
【００５０】
また、インクジェットプリンター１０は、記録媒体における同一の位置に対して、インクジェットヘッド２２〜２４のうち１つのみにインクの吐出を許可するともに、インクジェットヘッド２５〜２７のうち１つのみにインクの吐出を許可するので、主走査方向における記録媒体に対するキャリッジ２１の相対移動の方向に応じて記録媒体における同一の位置に対して複数の１次色のインクが異なる順番で付着することや、主走査方向における記録媒体に対するキャリッジ２１の相対移動の方向に応じて記録媒体における同一の位置に対して複数の２次色のインクが異なる順番で付着することが無い。したがって、インクジェットプリンター１０は、主走査方向において双方向に印刷した場合の複数の色のインクによる再現色のブレを抑えることができる。
【００５１】
また、インクジェットプリンター１０は、２次色のインクを吐出するインクジェットヘッド２５〜２７を備えているので、複数の１次色のインクによって２次色を再現する必要がなく、記録媒体において２次色を再現する場合のインクの使用量を低減することができる。したがって、インクジェットプリンター１０は、記録媒体におけるインクの滲みを抑えることができる。同様に、インクジェットプリンター１０は、３次色のインクを吐出するインクジェットヘッド２８を備えているので、複数の１次色のインクによって３次色を再現したり、１次色のインクと、２次色のインクとによって３次色を再現したりする必要がなく、記録媒体において３次色を再現する場合のインクの使用量を低減することができる。したがって、インクジェットプリンター１０は、記録媒体におけるインクの滲みを抑えることができる。
【００５２】
インクジェットプリンター１０は、主走査方向のうち何れかの方向における記録媒体に対するキャリッジ２１の１回の相対移動の間に、すなわち、同一パスの間に、記録媒体における同一の位置に対して、複数の色のインクを重ねて付着させることがないので、記録媒体におけるインクの滲みを抑えることができる。
【００５３】
なお、実際のインクにおいて、イエローおよびマゼンタを混ぜても、現実には理想的なレッドにはならない。同様に、実際のインクにおいて、イエローおよびシアンを混ぜても、現実には理想的なグリーンにはならないし、マゼンタおよびシアンを混ぜても、現実には理想的なブルーにはならない。したがって、２次色のインクを使用する７色分版方式は、１次色を組み合わせて２次色を生成する４色分版方式と比較して、２次色を濁り無く鮮明に印刷することができる。
【００５４】
また、インクジェットプリンター１０は、インクジェットヘッド２２〜２４によるインクの吐出範囲と、インクジェットヘッド２５〜２７によるインクの吐出範囲とが主走査方向に重ならずに配置されており、記録媒体における同一の位置に対して、インクジェットヘッド２２〜２４のうち１つのみにインクの吐出を許可するともに、インクジェットヘッド２５〜２７のうち１つのみにインクの吐出を許可するので、１次色のインクと、２次色のインクとに関して、色の種類毎にインクジェットヘッドを１つずつ備えていれば良い。したがって、インクジェットプリンター１０は、必要なインクジェットヘッドの数を抑えることができる。
【００５５】
インクジェットプリンター１０は、必要なインクジェットヘッドの数を抑えることができるので、インクジェットヘッドを搭載するキャリッジ２１を小型化することができる。また、インクジェットプリンター１０は、必要なインクジェットヘッドの数を抑えることができるので、製造コストを低減することができる。
【００５６】
インクジェットプリンター１０は、図３（ａ）に示すようにイエロー、マゼンタ、シアン、レッド、グリーン、ブルーおよびブラック以外の特色のインクを吐出するためのインクジェットヘッド４１を１つ備えていても良いし、図３（ｂ）に示すように特色のインクを吐出するためのインクジェットヘッド４１〜４３を備えていても良い。インクジェットプリンター１０は、特色のインクを吐出するためのインクジェットヘッドを任意の数備えることが可能である。特色としては、例えば、白、メタリック、パール、蛍光、クリアー、グレー、オレンジ、黄緑、会社のロゴマークの色（コーポレートカラー）などの任意の指定色が採用されることが可能である。特色のインクを吐出するためのインクジェットヘッドは、インクの吐出範囲がインクジェットヘッド２２〜２８の何れかによるインクの吐出範囲と主走査方向に並んで配置されても良いし、インクの吐出範囲がインクジェットヘッド２２〜２８の何れのインクの吐出範囲とも主走査方向において重ならずに配置されても良い。
【００５７】
インクジェットプリンター１０は、本実施の形態において記録媒体に対してキャリッジ２１を主走査方向に移動させるが、記録媒体に対してキャリッジ２１を主走査方向に相対移動させれば、記録媒体に対してキャリッジ２１を主走査方向に移動させなくても良い。例えば、インクジェットプリンター１０は、キャリッジ２１に対して記録媒体を主走査方向に移動させても良い。
【００５８】
インクジェットプリンター１０は、本実施の形態においてキャリッジ２１に対して記録媒体を副走査方向に移動させるが、キャリッジ２１に対して記録媒体を副走査方向に相対移動させれば、キャリッジ２１に対して記録媒体を副走査方向に移動させなくても良い。例えば、インクジェットプリンター１０は、記録媒体に対してキャリッジ２１を副走査方向に移動させても良い。
【００５９】
インクジェットプリンター１０は、副走査方向における上流側から下流側に１次色用インクジェットヘッド、２次色用インクジェットヘッド、３次色用インクジェットヘッドの順番で配置されている。しかしながら、インクジェットプリンター１０は、これ以外の順番でインクジェットヘッドが配置されても良い。
【００６０】
インクジェットヘッド２２〜２４は、本実施の形態においてインクの吐出範囲が主走査方向に並んで配置されている。しかしながら、インクジェットヘッド２２〜２４は、インクの吐出範囲がインクジェットヘッド２５〜２７によるインクの吐出範囲の何れとも主走査方向に重ならずに配置されていれば、互いにインクの吐出範囲が主走査方向に並んで配置されていなくても良い。例えば、インクジェットヘッド２２〜２４のうち一部によるインクの吐出範囲と、インクジェットヘッド２２〜２４のうち残部によるインクの吐出範囲とは、主走査方向に重ならずに配置されていても良い。
【００６１】
同様に、インクジェットヘッド２５〜２７は、インクの吐出範囲がインクジェットヘッド２２〜２４によるインクの吐出範囲の何れとも主走査方向に重ならずに配置されていれば、互いにインクの吐出範囲が主走査方向に並んで配置されていなくても良い。例えば、インクジェットヘッド２５〜２７のうち一部によるインクの吐出範囲と、インクジェットヘッド２５〜２７のうち残部によるインクの吐出範囲とは、主走査方向に重ならずに配置されていても良い。
【００６２】
インクジェットヘッド２８は、本実施の形態においてインクの吐出範囲がインクジェットヘッド２２〜２７によるインクの吐出範囲の何れとも主走査方向に重ならずに配置されている。しかしながら、インクジェットヘッド２８は、インクの吐出範囲がインクジェットヘッド２２〜２７によるインクの吐出範囲の何れかと主走査方向に並んで配置されていても良い。
【００６３】
インクジェットプリンター１０において使用されるインクは、特定の種類のインクに限定されない。例えば、インクジェットプリンター１０において使用されるインクとしては、水性染料インク、水性顔料インク、ラテックスインク、水性ＵＶインク、ＳＵＶ（溶剤希釈ＵＶ）インク、ＵＶインク、水溶性ＵＶ硬化染料インクなど、様々なインクが採用されることができる。
【００６４】
インクジェットプリンター１０は、任意のインクジェットプリンターとして構成されることが可能である。例えば、インクジェットプリンター１０は、テキスタイルプリンター、屋内外サイネージプリンター、Ｔシャツプリンター、産業用ＵＶプリンター、加飾プリンターなどとして構成されることが可能である。
【符号の説明】
【００６５】
１０  インクジェットプリンター
２２〜２４  インクジェットヘッド（１次色用インクジェットヘッド）
２５〜２７  インクジェットヘッド（２次色用インクジェットヘッド）
２８  インクジェットヘッド（３次色用インクジェットヘッド）
３４ａ  主走査方向移動手段
３４ｂ  副走査方向移動手段
３４ｃ  インク吐出手段
４１〜４３  インクジェットヘッド
【図１】
2018065305.tif 000003
【図２】
2018065305.tif 000004
【図３】
2018065305.tif 000005
【図４】
2018065305.tif 000006
【図５】
2018065305.tif 000007
【図６】
2018065305.tif 000008